(57)【要約】【課題】モニタとタッチパネルとの対応付けをいずれか一方が交換されても容易に行う。【解決手段】タッチモニタ１は、モニタ３と、タッチパネル４と、モニタ３とタッチパネル４とをコンピュータ２において対応付けるための情報としての固有情報を記憶するＥＤＩＤメモリ３４とを備えている。モニタ３およびタッチパネル４は、それぞれが、ＥＤＩＤメモリ３４から取得した固有情報を用いて、同一のシリアル番号をコンピュータ２に提供する。【選択図】図１
2019174990.tif 000002
【特許請求の範囲】
【請求項１】
モニタと、
タッチパネルと、
前記モニタと前記タッチパネルとをコンピュータにおいて対応付けるための情報としての固有情報を記憶するメモリと、を備え、
前記モニタおよび前記タッチパネルは、それぞれが、前記メモリから取得した前記固有情報を用いて、同一の前記固有情報を前記コンピュータに提供することを特徴とするタッチモニタ。
【請求項２】
前記モニタおよび前記タッチパネルは、いずれか一方が他方に関する前記固有情報を前記メモリから取得して自己の固有情報として前記コンピュータに提供することを特徴とする請求項１に記載のタッチモニタ。
【請求項３】
前記タッチパネルは、
タッチ入力を受け付けるタッチパネルモジュールと、
前記タッチパネルモジュールの出力信号に対し所定の処理を行うタッチパネルコントローラをさらに有し、
前記メモリは、前記モニタに設けられ、前記モニタに関する前記固有情報を記憶しており、
前記タッチパネルコントローラは、前記固有情報を読み出し可能となるように前記メモリに接続されており、前記固有情報を前記メモリから読み出して自己の前記固有情報として前記コンピュータに提供することを特徴とする請求項１または２に記載のタッチモニタ。
【請求項４】
前記モニタおよび前記タッチパネルと前記コンピュータとの間でのデータの入出力を行う入出力部をさらに備え、
前記メモリは、前記モニタに関する前記固有情報を記憶する第１メモリと、前記タッチパネルに関する前記固有情報を記憶する第２メモリとを含み、
前記モニタおよび前記タッチパネルは、それぞれが、前記固有情報とともに前記コンピュータに提供される複数の情報を含む情報群を出力し、
前記入出力部は、前記固有情報を読み出し可能となるように前記メモリに接続されており、前記第１メモリから予め取得した前記モニタに関する前記固有情報を前記タッチパネルの前記情報群に転記するか、あるいは前記第２メモリから予め取得した前記タッチパネルに関する前記固有情報を前記モニタの前記情報群に転記することを特徴とする請求項１に記載のタッチモニタ。
【請求項５】
請求項１から４のいずれか１項に記載のタッチモニタを１つ以上備えるとともに、
前記タッチモニタと接続されるコンピュータを備え、
前記コンピュータは、
前記モニタおよび前記タッチパネルから提供された前記固有情報を、前記モニタと前記タッチパネルとで個別に登録かつ管理する登録管理部と、
前記モニタと前記タッチパネルとのそれぞれについて管理された１つ以上の前記固有情報のうち、一致した前記固有情報についての前記モニタと前記タッチパネルとを対応付ける対応付け部とを有していることを特徴とする表示システム。
【発明の詳細な説明】
【技術分野】
【０００１】
本発明は、モニタとタッチパネルとのコンピュータにおける対応付けに用いる固有情報をコンピュータに提供するタッチモニタに関する。
【背景技術】
【０００２】
モニタとタッチパネルとを組み合わせた複数台のタッチモニタをホスト機器としてのコンピュータに接続するとき、タッチパネルの接続設定を行う必要がある。
【０００３】
接続設定を行わない場合、コンピュータは、全てのタッチモニタのタッチパネルへの入力を１台目のタッチモニタに表示された画面（プライマリ画面）への入力として認識する。これは、各タッチパネルのタッチパネルコントローラからの入力位置情報として、タッチパネルコントローラを搭載するタッチモニタに表示された画面における原点位置の座標がコンピュータに送られるからである。このため、各タッチモニタのモニタにそれぞれ異なる画面が表示されている場合、プライマリ画面以外の他のタッチモニタに表示されている画面での操作はできなくなる。
【０００４】
そこで、各モニタに表示される画面とタッチパネルコントローラとを関連付けることで、各画面に関連付けたタッチパネルコントローラから送られる座標位置をオフセットさせる。これにより、各画面の操作を行えるようにすることができる。
【０００５】
ただし、各タッチモニタに表示された画面と、各タッチモニタに搭載されたタッチパネルコントローラとの関連付けは、全て手作業で行う必要があった。
【０００６】
例えば、コンピュータから、ある画面に対応したタッチパネルの入力指示を与えることで、タッチ操作されると、タッチ操作されたタッチパネルのタッチパネルコントローラから位置情報がコンピュータに送出される。コンピュータは、その位置情報を得ることで、当該画面に対するタッチパネルコントローラを特定し、特定した情報をオペレーティングシステム上で用意されたテーブルに書き込んでいく。このようなタッチ操作を、各タッチモニタに表示される画面に対して行うことで設定するという作業を行う。
【０００７】
特許文献１には、このような煩わしい作業を回避する手法として、タッチモニタを構成するモニタとタッチスクリーン（タッチパネル）とをコンピュータにおいてシリアル番号に基づいて関連付けることが記載されている。特許文献１には、その関連付けを次の第１の方法または第２の方法で行う。なお、第１の方法については、特許文献１に明記されていないが、システム構成から下記のように関連付けを行うことが考えられる。
【０００８】
第１の方法では、コンピュータは、モニタコントローラおよびタッチスクリーンコントローラにそれぞれ記憶されている相互に異なるシリアル番号を予め設定しておく。そして、コンピュータは、それぞれのコントローラから送られたシリアル番号と設定した２つのシリアル番号とが同じである場合、モニタをタッチスクリーンに関連付ける。
【０００９】
第２の方法では、コンピュータは、複数のモニタのＥＤＩＤデータに含まれるシリアル番号を、各タッチスクリーンのＥＤＩＤデータに含まれるシリアル番号と比較し、両シリアル番号が同じであると判断すると、モニタをタッチスクリーンに関連付ける。
【先行技術文献】
【特許文献】
【００１０】
【特許文献１】特開２００６−２６０５６７（２００６年９月２８日公開）
【発明の概要】
【発明が解決しようとする課題】
【００１１】
しかしながら、上記のような関連付けでは、モニタおよびタッチパネルのいずれか一方の機器が故障などによって交換する必要が生じた場合、次のような不都合が生じる。
【００１２】
第１の方法では、コンピュータに予めシリアル番号が設定されている。このため、交換される新たな機器のシリアル番号を交換前の機器のシリアル番号に書き替えるか、あるいはコンピュータに設定されているシリアル番号を交換される新たな機器のシリアル番号に書き替える必要がある。
【００１３】
第２の方法では、交換される機器に交換されない他方の機器のシリアル番号を書き込む必要がある。
【００１４】
本発明の一態様は、モニタとタッチパネルとの対応付けをいずれか一方が交換されても容易に行うことを目的とする。
【課題を解決するための手段】
【００１５】
上記の課題を解決するために、本発明の一態様に係るタッチモニタは、モニタと、タッチパネルと、前記モニタと前記タッチパネルとをコンピュータにおいて対応付けるための情報としての固有情報を記憶するメモリと、を備え、前記モニタおよび前記タッチパネルのそれぞれが、前記メモリから取得した前記固有情報を用いて、同一の前記固有情報を前記コンピュータに提供する。
【００１６】
上記の構成によれば、同一の固有情報が、それぞれモニタおよびタッチパネルによって個別にコンピュータに提供される。これにより、機器の交換に応じて、交換される新たな機器の固有情報を書き替えたり、コンピュータに設定された固有情報を書き替えたりする必要がなくなる。また、交換される機器に交換されない他方の機器の固有情報を書き込む必要もなくなる。
【００１７】
したがって、モニタおよびタッチパネルのいずれか一方が交換されても、コンピュータにおいてモニタおよびタッチパネルの対応付けを容易に行うことができる。
【００１８】
前記タッチモニタにおいて、前記モニタおよび前記タッチパネルは、いずれか一方が他方に関する前記固有情報を前記メモリから取得して自己の固有情報として前記コンピュータに提供してもよい。
【００１９】
上記の構成によれば、モニタおよびタッチパネルのいずれか一方が交換されることで固有情報が変わっても、モニタおよびタッチパネルから同一の固有情報をコンピュータに提供することができる。
【００２０】
前記タッチモニタにおいて、前記タッチパネルは、タッチ入力を受け付けるタッチパネルモジュールと、前記タッチパネルモジュールの出力信号に対し所定の処理を行うタッチパネルコントローラをさらに有し、前記メモリは、前記モニタに設けられ、前記モニタに関する前記固有情報を記憶しており、前記タッチパネルコントローラは、前記固有情報を読み出し可能となるように前記メモリに接続されており、前記固有情報を前記メモリから読み出して自己の前記固有情報として前記コンピュータに提供してもよい。
【００２１】
上記の構成によれば、タッチパネルコントローラがモニタに関する固有情報を取得して自己の固有情報としてコンピュータに提供するので、モニタが交換されても、モニタに関する固有情報は、失われることなく、交換後のモニタとの共有情報としてコンピュータに提供される。また、タッチパネルコントローラがメモリと接続された簡易な構成でメモリに関する固有情報を取得して当該固有情報を共有することができる。
【００２２】
前記タッチモニタは、前記モニタおよび前記タッチパネルと前記コンピュータとの間でのデータの入出力を行う入出力部をさらに備え、前記メモリが、前記モニタに関する前記固有情報を記憶する第１メモリと、前記タッチパネルに関する前記固有情報を記憶する第２メモリとを含み、前記モニタおよび前記タッチパネルのそれぞれが、前記固有情報とともに前記コンピュータに提供される複数の情報を含む情報群を出力し、前記入出力部が、前記固有情報を読み出し可能となるように前記メモリに接続されており、前記第１メモリから予め取得した前記モニタに関する前記固有情報を前記タッチパネルの前記情報群に転記するか、あるいは前記第２メモリから予め取得した前記タッチパネルに関する前記固有情報を前記モニタの前記情報群に転記してもよい。
【００２３】
上記の構成によれば、モニタおよびタッチパネルのいずれか一方が交換されても、モニタおよびタッチパネルから同一の固有情報をコンピュータに提供することができる。
【００２４】
上記の課題を解決するために、本発明の一態様に係る表示システムは、上記いずれかの前記タッチモニタを１つ以上備えるとともに、前記タッチモニタと接続されるコンピュータを備え、前記コンピュータが、前記モニタおよび前記タッチパネルから提供された前記固有情報を、前記モニタと前記タッチパネルとで個別に登録かつ管理する登録管理部と、前記モニタと前記タッチパネルとのそれぞれについて管理された１つ以上の前記固有情報のうち、一致した前記固有情報についての前記モニタと前記タッチパネルとを対応付ける対応付け部とを有している。
【００２５】
上記の構成によれば、モニタおよびタッチパネルからそれぞれ提供された固有情報に基づいて、モニタおよびタッチパネルの対応付けを行うことができる。
【発明の効果】
【００２６】
本発明の一態様によれば、モニタとタッチパネルとの対応付けをいずれか一方が交換されても容易に行うことができる。
【図面の簡単な説明】
【００２７】
【図１】本発明の実施形態１に係る表示システムの構成を示すブロック図である。
【図２】上記表示システムにおけるタッチパネルコントローラのハードウェア構成を示すブロック図である。
【図３】上記表示システムにおけるタッチパネルコントローラのシステム構成を示すブロック図である。
【図４】上記表示システムの動作手順を示すフローチャート図である。
【図５】本発明の実施形態２に係る表示システムの構成を示すブロック図である。
【図６】本発明の実施形態３に係る表示システムの構成を示すブロック図である。
【発明を実施するための形態】
【００２８】
〔実施形態１〕
本発明の実施形態１について図１〜図４に基づいて説明すると、以下の通りである。
【００２９】
まず、表示システム１００について説明する。図１は、本実施形態に係るタッチモニタ１の構成を示すブロック図である。
【００３０】
図１に示すように、表示システム１００は、タッチモニタ１を１つ以上備えるとともに、コンピュータ２を備えている。なお、図１は、表示システム１００が１つのタッチモニタ１を備える構成について示している。
【００３１】
タッチモニタ１は、モニタ３と、タッチパネル４とを備えている。タッチモニタ１は、モニタ３をタッチパネル４と組み合わせることにより、表示面上での操作が可能となる操作型表示装置として機能する。
【００３２】
モニタ３は、コンピュータ２から提供された表示データに基づいて画像を表示する表示装置である。モニタ３は、ＤＶＩ（Digital Visual Interface）インターフェース部３１と、変換回路３２と、表示パネル３３と、ＥＤＩＤメモリ３４（メモリ，第１メモリ）とを有している。
【００３３】
ＤＶＩインターフェース部３１は、ＴＭＤＳ（Transition Minimized Differential Signaling）というシリアルデータ転送方式で、ビデオケーブル５を介して、コンピュータ２との間でデジタル信号を直接やり取りするインターフェースの部分である。これにより、ＤＶＩインターフェース部３１は、ＴＭＤＳ形式の表示データを伝送する。また、ＤＶＩインターフェース部３１は、コンピュータ２から、Ｉ２ＣインターフェースであるＤＤＣ（Display Data Channel）を介して、ＥＤＩＤメモリ３４に記憶されているＥＤＩＤ（Extended Display Identification Data）を読み出せるように構成されている。
【００３４】
変換回路３２は、ＴＭＤＳ形式の表示データを表示パネル３３が処理できる形式の表示データに変換する回路である。
【００３５】
表示パネル３３は、変換回路３２から出力される表示データに基づいて表示を行う表示モジュールであり、液晶表示パネル、ＥＬ表示パネルなどからなる。
【００３６】
ＥＤＩＤメモリ３４は、上記のＥＤＩＤを記録するメモリである。ＥＤＩＤメモリ３４は、例えば、ＥＥＰＲＯＭ（登録商標，Electronically Erasable and Programmable Read Only Memory）によって構成される。ＥＤＩＤは、モニタ３で表示が可能な表示データ（複数の情報）の規格を一覧形式で表した情報群である。表示データは、コンピュータ２（後述する表示データ出力部２４）からモニタ３に対して提供される。ＥＤＩＤは、モニタ３に固有の固有情報であるシリアル番号を含んでいる。
【００３７】
タッチパネル４は、タッチ操作を受け付ける入力デバイスである。タッチパネル４は、タッチパネルモジュール４１と、タッチパネルコントローラ４２と、ＵＳＢインターフェース部４３とを有している。
【００３８】
タッチパネルモジュール４１は、表示パネル３３の表示面に重ねて配置されており、タッチパネル４の入力部を構成している。
【００３９】
タッチパネルコントローラ４２は、タッチパネルモジュール４１のタッチ検出信号（出力信号）に対して所定の処理を行う回路である。具体的には、タッチパネルコントローラ４２は、タッチパネルモジュール４１のタッチ検出信号をデジタルに変換し、タッチ入力を正しく検出するための処理を行う。タッチパネルコントローラ４２は、例えば、２線式のシリアルバスを有しており、当該シリアルバスから検出座標データを出力する。
【００４０】
また、タッチパネルコントローラ４２は、ディスクリプタを保持している。ディスクリプタは、タッチパネル４の属性を記述するデータ構造を有するデータである。
【００４１】
具体的には、ディスクリプタは、複数の情報として、デバイスディスクリプタ、コンフィギュレーションディスクリプタ、インタフェースディスクリプタ、エンドポイントディスクリプタおよびストリングディスクリプタを含んでいる。このうち、ストリングディスクリプタは、デバイス、インターフェースなどの説明を記述したり、デバイスのシリアル番号を記述したりする文字列を設定できる。タッチパネルコントローラ４２において、ストリングディスクリプタには、タッチパネル４のシリアル番号を記述した文字列が設定されている。
【００４２】
ＵＳＢインターフェース部４３は、ＵＳＢケーブル６を介してコンピュータ２との間でシリアルデータをやり取りするインターフェースの部分である。具体的には、ＵＳＢインターフェース部４３は、タッチパネルコントローラ４２からの検出座標データをコンピュータ２に伝送したり、コンピュータ２からタッチパネル４に情報要求（デバイスリクエスト）を伝送したりするためのコネクタ（レセクタプル）を含む。このコネクタには、ＵＳＢケーブル６が接続される。
【００４３】
コンピュータ２は、汎用のＯＳ（Operating System）を実装しており、アプリケーションプログラムを実行する機能を備えている。コンピュータ２は、ＵＳＢインターフェース部２１と、タッチ入力処理部２２と、プログラム実行部２３と、表示データ出力部２４と、ＤＶＩインターフェース部２５と、デバイス管理部２６（登録管理部）と、管理テーブル２７とを有している。
【００４４】
ＵＳＢインターフェース部２１は、ＵＳＢケーブル６を介してタッチパネル４との間でシリアルデータをやり取りするインターフェースの部分である。
【００４５】
タッチ入力処理部２２は、ＵＳＢインターフェース部２１を介して入力されたタッチパネル４の検出座標データをプログラム実行部２３の処理に適した形式に変換する部分である。
【００４６】
プログラム実行部２３は、ＯＳ、アプリケーションプログラムなどの各種のプログラムを実行する部分である。プログラム実行部２３は、タッチ入力処理部２２から出力された座標検出データで表される座標への指示操作に対応付けられた命令を実行する。また、プログラム実行部２３は、プログラムの実行に伴い、必要に応じてモニタ３に表示させる表示データを生成する。
【００４７】
表示データ出力部２４は、プログラム実行部２３から出力された表示データに、モニタ３で表示するための各種の制御信号を付加するとともに、所定のタイミングで出力する部分である。
【００４８】
ＤＶＩインターフェース部２５は、上述のＤＶＩインターフェース部３１と同じＴＭＤＳ方式で、モニタ３との間でビデオケーブル５を介して、デジタル信号を直接やり取りするインターフェースの部分である。ＤＶＩインターフェース部２５は、表示データ出力部２４からの表示データをモニタ３に送出する。
【００４９】
デバイス管理部２６は、コンピュータ２に接続されるデバイスであるモニタ３およびタッチパネル４を管理する部分である。デバイス管理部２６は、登録管理部２６ａと、対応付け部２６ｂとを有している。
【００５０】
登録管理部２６ａは、モニタ３およびタッチパネル４からそれぞれ提供されるシリアル番号を管理テーブル２７に登録するとともに、シリアル番号をモニタ３およびタッチパネル４についてそれぞれ個別に管理する。
【００５１】
ここで、管理テーブル２７は、１台以上のモニタ３のシリアル番号を登録するモニタ用テーブルと、１台以上のタッチパネル４のシリアル番号を登録するタッチパネル用テーブルとを有している。管理テーブル２７は、レジストリなどにおいて保存されている。
【００５２】
対応付け部２６ｂは、管理テーブル２７のモニタ用テーブルとタッチパネル用テーブルとにそれぞれ登録されているシリアル番号のうち、一致するシリアル番号を提供したモニタ３およびタッチパネル４を対応付ける。
【００５３】
続いて、タッチパネルコントローラ４２の詳細について説明する。図２は、タッチパネルコントローラ４２のハードウェア構成を示すブロック図である。図３は、タッチパネルコントローラ４２のシステム構成を示すブロック図である。
【００５４】
図２に示すように、タッチパネルコントローラ４２は、タッチパネルインターフェース部４２２と、ＡＤコンバータ４２３（図中、ＡＤＣにて示す）と、ＣＰＵ（Central Processing Unit）４２４と、プログラムメモリ４２５と、データメモリ４２６（メモリ，第２メモリ）と、入出力インターフェース部４２７と、メモリインターフェース部４２８とを有している。タッチパネルコントローラ４２は、ＩＣ（Integrated Circuit）によって構成されている。
【００５５】
タッチパネルインターフェース部４２２は、タッチパネルモジュール４１から検出されたタッチ検出信号が入力されるインターフェースの部分である。
【００５６】
ＡＤコンバータ４２３は、タッチパネルインターフェース部４２２から出力されたアナログのタッチ検出信号をデジタルに変換する回路である。
【００５７】
ＣＰＵ４２４は、プログラムメモリ４２５に記憶されたプログラムを実行することにより、ＡＤコンバータ４２３からのタッチ検出信号に対して、上述したような所定の処理を行って座標検出データを出力する処理回路である。また、ＣＰＵ４２４は、データメモリ４２６に記憶されたディスクリプタの置換を行う。また、ＣＰＵ４２４は、コンピュータ２からの情報要求に応じて、ディスクリプタを読み出して入出力インターフェース部４２７に出力する。
【００５８】
プログラムメモリ４２５は、上記のプログラムを記憶するとともに、ＥＤＩＤメモリ３４からＥＤＩＤを読み出すためのファームウェアも記憶している。
【００５９】
データメモリ４２６は、上記のディスクリプタを記憶するメモリである。データメモリ４２６は、フラッシュメモリなどの不揮発性メモリによって構成されている。
【００６０】
入出力インターフェース部４２７は、ＣＰＵ４２４から出力される座標検出データを２線式のシリアルバスへ出力するように、座標検出データの出力形態を変換するインターフェースの部分である。また、入出力インターフェース部４２７は、コンピュータ２からの情報要求をＣＰＵ４２４に伝えるとともに、ＣＰＵ４２４から出力されるディスクリプタをＵＳＢインターフェース部４３に出力する。
【００６１】
メモリインターフェース部４２８は、ＣＰＵ４２４がＥＤＩＤメモリ３４からＥＤＩＤを読み出すことができるようにＣＰＵ４２４とＥＤＩＤメモリ３４とを接続するＩ２Ｃインターフェースの部分である。このため、タッチパネルコントローラ４２を構成するＩＣには、メモリインターフェース部４２８からＥＤＩＤメモリ３４にシリアルクロックを出力するクロック端子と、ＥＤＩＤメモリ３４からのシリアルデータが入力されるデータ入力端子とが設けられている。
【００６２】
図３に示すように、シリアル番号読出部４２ａと、シリアル番号置換部４２ｂと、ディスクリプタ出力部４２ｃとを有している。シリアル番号読出部４２ａと、シリアル番号置換部４２ｂと、ディスクリプタ出力部４２ｃは、ＣＰＵ４２４がプログラムを実行することにより実現される機能ブロックの部分である。
【００６３】
なお、図３においては、説明の便宜上、コンピュータ２とタッチパネルコントローラ４２との間に介在するＵＳＢインターフェース部４３を省略している。
【００６４】
シリアル番号読出部４２ａは、コンピュータ２のデバイス管理部２６からの情報要求を受けると、ＥＤＩＤメモリ３４からシリアル番号を読み出す。
【００６５】
シリアル番号置換部４２ｂは、データメモリ４２６から読み出したディスクリプタに設定されているタッチパネル４のシリアル番号を、シリアル番号読出部４２ａによって読み出されるモニタ３のシリアル番号に置換する。
【００６６】
ディスクリプタ出力部４２ｃは、コンピュータ２のデバイス管理部２６からの情報要求に応じて、シリアル番号置換部４２ｂによってシリアル番号が置換されたディスクリプタをコンピュータ２に出力する。
【００６７】
引き続き、表示システム１００の動作について説明する。図４は、表示システム１００の動作手順を示すフローチャート図である。
【００６８】
図４に示すように、まず、コンピュータ２において、デバイス管理部２６は、デバイスとしてモニタ３およびタッチパネル４がコンピュータ２へ接続されたか否かを判定する（ステップＳ１）。デバイス管理部２６は、ステップＳ１において、コンピュータ２にデバイスが接続されるまで、待機する（ＮＯ）。
【００６９】
コンピュータ２にモニタ３およびタッチパネル４が接続されると（ステップＳ１のＹＥＳ）、デバイス管理部２６は、プラグアンドプレイの機能により、モニタ３およびタッチパネル４に対して情報を要求する（ステップＳ２）。
【００７０】
タッチパネルコントローラ４２において、シリアル番号読出部４２ａは、コンピュータ２の要求を受けると、ＥＤＩＤメモリ３４からＥＤＩＤに含まれるシリアル番号を読み出す（ステップＳ３）。
【００７１】
次いで、シリアル番号置換部４２ｂは、データメモリ４２６から読み出したディスクリプタを変更する（ステップＳ４）。ステップＳ４において、シリアル番号置換部４２ｂは、読み出したディスクリプタのうち、ストリングディスクリプタに設定されているタッチパネル４のシリアル番号を、読み出されたモニタ３のシリアル番号に置換する。
【００７２】
そして、モニタ３およびディスクリプタ出力部４２ｃは、ＥＤＩＤおよびディスクリプタをコンピュータ２に提供する（ステップＳ５）。ステップＳ５において、デバイス管理部２６は、ＤＶＩインターフェース部２５，３１を介してＥＤＩＤメモリ３４にアクセスすることにより、ＥＤＩＤメモリ３４からＥＤＩＤを読み出して、モニタ３からＥＤＩＤの提供を受ける。ステップＳ５において、ディスクリプタ出力部４２ｃは、デバイス管理部２６からの情報要求に応答するように、データメモリ４２６に記憶されているディスクリプタをデバイス管理部２６に送出する。コンピュータ２に送出されるディスクリプタは、シリアル番号が置換されたストリングディスクリプタを含んでいる。
【００７３】
コンピュータ２において、デバイス管理部２６の登録管理部２６ａは、管理テーブル２７の登録内容を変更する（ステップＳ６）。ステップＳ６において、登録管理部２６ａは、モニタ３から提供されたＥＤＩＤに含まれるシリアル番号と、タッチパネル４から提供されたディスクリプタに含まれるシリアル番号とを管理テーブル２７に登録する。
【００７４】
そして、デバイス管理部２６の対応付け部２６ｂは、管理テーブル２７を参照してモニタ３とタッチパネル４との対応付けを行う（ステップＳ７）。ステップＳ７において、対応付け部２６ｂは、管理テーブル２７のモニタ用テーブルとタッチパネル用テーブルとを参照し、両テーブルに登録されているシリアル番号が一致すると、当該シリアル番号を提供したモニタ３およびタッチパネル４を対応付ける。
【００７５】
この対応付けは、例えば、管理テーブル２７が保存されるレジストリなどに対応付け情報のテーブルとして保存される。
【００７６】
以上のように、本実施形態に係る表示システム１００のタッチパネル４は、ＥＤＩＤメモリ３４からシリアル番号の読み出しが可能になるようにＥＤＩＤメモリ３４に接続されている。また、タッチパネル４は、シリアル番号読出部４２ａ、シリアル番号置換部４２ｂおよびディスクリプタ出力部４２ｃを備えている。
【００７７】
これにより、タッチパネル４は、モニタ３と同じシリアル番号を共有することができる。また、タッチパネル４のディスクリプタのシリアル番号を、ＥＤＩＤメモリ３４に記憶されているシリアル番号と置換した上で、コンピュータ２に提供することができる。
【００７８】
また、表示システム１００のモニタ３は、ＤＶＩインターフェース部２５，３１を介してコンピュータ２と接続されている。これにより、モニタ３は、デバイス管理部２６がＥＤＩＤメモリ３４にアクセスすることで、シリアル番号をコンピュータ２に提供する。
【００７９】
このように、モニタ３およびタッチパネル４が共有するシリアル番号は、それぞれモニタ３およびタッチパネル４によって個別にコンピュータ２に提供される。これにより、モニタ３およびタッチパネル４のいずれか一方のデバイス（機器）が交換されても、シリアル番号が、交換されたデバイスまたは交換されなかったデバイスでも共有され、かつコンピュータ２に提供される。
【００８０】
それゆえ、従来のシステムのように、デバイスの交換に応じて、交換される新たなデバイスの固有情報を書き替えたり、コンピュータに設定された固有情報を書き替えたりする必要がなくなる。また、交換されるデバイスに交換されない他方のデバイスの固有情報を書き込む必要もなくなる。したがって、モニタ３およびタッチパネル４のいずれか一方が交換されても、コンピュータ２においてモニタ３およびタッチパネル４の対応付けを容易に行うことができる。
【００８１】
例えば、モニタ３のシリアル番号が“１”であり、タッチパネル４のシリアル番号が“２”であるとする。この場合、タッチパネル４が故障して交換された新たなタッチパネル４のシリアル番号が“３”であれば、モニタ３のシリアル番号“１”が新たなタッチパネル４に伝達され、このタッチパネル４のシリアル番号が“１”に置換される。
【００８２】
また、モニタ３が故障して交換された新たなモニタ３のシリアル番号が“４”であれば、モニタ３のシリアル番号“４”がタッチパネル４に伝達され、タッチパネル４のシリアル番号が“４”に置換される。
【００８３】
なお、本実施形態における固有情報は、シリアル番号であるが、シリアル番号には限定されない。例えば、固有情報として、ＥＤＩＤに含まれるモニタ３の名称（モデル名）を使用することもできる。
【００８４】
〔実施形態２〕
本発明の実施形態２について図２および図５に基づいて説明すると、以下の通りである。なお、本実施形態において、実施形態１における構成要素と同一の機能を有する構成要素については、同一の符号を付記して、その説明を省略する。
【００８５】
図５は、本実施形態に係る表示システム１００Ａの構成を示すブロック図である。
【００８６】
図５に示すように、表示システム１００Ａは、タッチモニタ１Ａと、コンピュータ２Ａとを備えている。
【００８７】
タッチモニタ１Ａは、モニタ３Ａと、タッチパネル４Ａとを備えている。タッチモニタ１Ａは、モニタ３Ａをタッチパネル４Ａと組み合わせることにより、表示面上での操作が可能となる操作型表示装置として機能する。
【００８８】
モニタ３Ａは、コンピュータ２から提供された表示データに基づいて画像を表示する表示装置である。モニタ３Ａは、表示パネル３３と、モニタインターフェース部３５と、モニタコントローラ３６とを有している。
【００８９】
モニタインターフェース部３５は、ＶＧＡ（Video Graphics Array）規格に準拠しているインターフェースの部分である。モニタインターフェース部３５は、ビデオケーブル７を介して、コンピュータ２Ａとの間でビデオ信号をやり取りする。また、モニタインターフェース部３５は、コンピュータ２から、Ｉ２ＣインターフェースであるＤＤＣを介して、モニタコントローラ３６に記憶されているＥＤＩＤを読み出せるように構成されている。
【００９０】
モニタコントローラ３６は、前述の変換回路３２の機能を備えるとともに、ガンマ補正などの各種の処理機能を備えている。このため、モニタコントローラ３６は、ＣＰＵ、マイクロコンピュータなどの処理装置を有している。また、モニタコントローラ３６は、記憶領域（例えばメモリ）にＥＤＩＤを記憶している。
【００９１】
タッチパネル４Ａは、タッチ操作を受け付ける入力デバイスである。タッチパネル４Ａは、タッチパネルモジュール４１と、タッチパネルコントローラ４２と、タッチパネルインターフェース部４４とを有している。
【００９２】
タッチパネルインターフェース部４４は、ＲＳ−２３２Ｃなどの汎用のシリアルインターフェース規格に準拠しており、シリアルケーブル８を介してコンピュータ２との間でシリアルデータをやり取りするインターフェースの部分である。具体的には、タッチパネルインターフェース部４４は、タッチパネルコントローラ４２からの検出座標データをコンピュータ２に伝送したり、コンピュータ２からタッチパネル４Ａに情報要求（デバイスリクエスト）を伝送したりする。
【００９３】
コンピュータ２Ａは、汎用のＯＳを実装しており、アプリケーションプログラムを実行する機能を備えている。コンピュータ２Ａは、実施形態１におけるコンピュータ２と同じく、タッチ入力処理部２２と、プログラム実行部２３と、表示データ出力部２４と、デバイス管理部２６と、管理テーブル２７とを有している。また、コンピュータ２Ａは、タッチパネルインターフェース部２８と、モニタインターフェース部２９とを有している。
【００９４】
タッチパネルインターフェース部２８は、シリアルケーブル８を介してタッチパネル４Ａとの間でシリアルデータをやり取りするインターフェースの部分である。
【００９５】
モニタインターフェース部２９は、モニタ３Ａとの間でビデオケーブル７を介して、アナログ信号をやり取りするインターフェースの部分である。モニタインターフェース部２９は、表示データ出力部２４からのデジタルの表示データをアナログに変換してモニタ３に送出する。
【００９６】
モニタコントローラ３６およびタッチパネルコントローラ４２は、相互に接続されている。モニタコントローラ３６およびタッチパネルコントローラ４２は、同一の基板上に実装されていれば、基板上の配線で相互に接続されている。また、モニタコントローラ３６およびタッチパネルコントローラ４２は、それぞれ異なる基板上に実装されていれば、基板間で相互に通信を行うように接続されている。
【００９７】
上記のように構成される表示システム１００Ａでは、タッチパネル４Ａがモニタ３Ａのシリアル番号を取得する場合、図２に示すタッチパネルコントローラ４２のシリアル番号読出部４２ａが、モニタコントローラ３６にシリアル番号の読み出しを要求する。モニタコントローラ３６は、その要求に応じて、記憶しているＥＤＩＤからシリアル番号を読み出してタッチパネルコントローラ４２に送出する。
【００９８】
シリアル番号読出部４２ａは、データメモリ４２６に記憶されているディスクリプタのシリアル番号を、取得したモニタ３Ａのシリアル番号に置換する。そして、ディスクリプタ出力部４２ｃは、置換されたシリアル番号を含むディスクリプタをデバイス管理部２６からの情報要求に応じてコンピュータ２Ａに送信することで、ディスクリプタをコンピュータ２Ａに提供する。
【００９９】
モニタ３Ａは、コンピュータ２ＡにＥＤＩＤを提供する。具体的には、まず、デバイス管理部２６は、モニタインターフェース部２９，３５を介してモニタコントローラ３６に情報要求を送出する。モニタコントローラ３６は、情報要求を受けて、記憶領域に記憶しているＥＤＩＤを読み出して、コンピュータ２Ａに送出する。
【０１００】
また、モニタ３Ａがタッチパネル４Ａのシリアル番号を取得する場合、モニタコントローラ３６が、タッチパネルコントローラ４２にシリアル番号の読み出しを要求する。タッチパネルコントローラ４２は、その要求に応じて、自己が保持しているディスクリプタ（ストリングディスクリプタ）からシリアル番号を読み出してモニタコントローラ３６に送出する。
【０１０１】
モニタコントローラ３６は、記憶しているＥＤＩＤにおいて、シリアル番号をモニタコントローラ３６から取得したシリアル番号に置換する。モニタ３Ａのモニタコントローラ３６は、デバイス管理部２６からの情報要求を受けると、自己の記憶領域からＥＤＩＤを読み出して、コンピュータ２Ａに送出する。
【０１０２】
一方、タッチパネルコントローラ４２のディスクリプタ出力部４２ｃは、シリアル番号を含むディスクリプタをデバイス管理部２６からの情報要求に応じてコンピュータ２Ａに送信することで、ディスクリプタをコンピュータ２Ａに提供する。
【０１０３】
コンピュータ２Ａのデバイス管理部２６は、実施形態１において説明したのと同様に、モニタ３Ａから取得したシリアル番号と、タッチパネル４Ａから取得したシリアル番号を管理テーブル２７に登録して管理する。また、デバイス管理部２６は、管理テーブル２７を参照して一致するシリアル番号に対応したモニタ３Ａとタッチパネル４Ａとを対応付ける。
【０１０４】
以上のように、本実施形態に係る表示システム１００Ａのモニタ３Ａおよびタッチパネル４Ａは、一方が他方に関するシリアル番号を取得して自己のシリアル番号としてコンピュータ２Ａに提供するように構成されている。具体的には、モニタコントローラ３６とタッチパネルコントローラ４２とが、相手側のシリアル番号を取得できるように相互に接続されている。
【０１０５】
これにより、モニタ３ＡのＥＤＩＤに含まれるシリアル番号と、当該シリアル番号と同じである、タッチパネル４Ａのディスクリプタに含まれるシリアル番号とがコンピュータ２Ａに提供される。それゆえ、モニタ３Ａおよびタッチパネル４Ａのいずれか一方のデバイス（機器）が交換されても、相手側のシリアル番号を取得したデバイスが、自己のシリアル番号を取得したシリアル番号に置換する。
【０１０６】
このように、同じシリアル番号が、交換されたデバイスと交換されなかったデバイスとの間で共有され、かつコンピュータ２Ａに提供される。これにより、実施形態１の表示システム１００と同じく、デバイス（モニタ３Ａおよびタッチパネル４Ａ）の交換に応じて、交換される新たなデバイスの固有情報を書き替えたり、コンピュータに設定された固有情報を書き替えたりする必要がなくなる。また、交換されるデバイスに交換されない他方のデバイスの固有情報を書き込む必要もなくなる。したがって、実施形態１の表示システム１００と同様、モニタ３Ａおよびタッチパネル４Ａのいずれか一方が交換されても、コンピュータ２Ａにおいてモニタ３Ａおよびタッチパネル４Ａの対応付けを容易に行うことができる。
【０１０７】
〔実施形態３〕
本発明の実施形態３について図６に基づいて説明すると、以下の通りである。なお、本実施形態において、実施形態１および２における構成要素と同一の機能を有する構成要素については、同一の符号を付記して、その説明を省略する。
【０１０８】
図６は、本実施形態に係る表示システム１００Ｂの構成を示すブロック図である。
【０１０９】
図６に示すように、表示システム１００Ｂは、タッチモニタ１Ｂと、コンピュータ２Ｂとを備えている。
【０１１０】
タッチモニタ１Ｂは、モニタ３Ｂと、タッチパネル４Ｂと、ＬＡＮ（Local Area Network）インターフェース部１１（入出力部）とを備えている。タッチモニタ１Ｂは、モニタ３Ｂをタッチパネル４Ｂと組み合わせることにより、表示面上での操作が可能となる操作型表示装置として機能する。
【０１１１】
モニタ３Ｂは、コンピュータ２から提供された表示データに基づいて画像を表示する表示装置である。モニタ３Ｂは、変換回路３２と、表示パネル３３と、ＥＤＩＤメモリ３４とを有している。
【０１１２】
タッチパネル４Ｂは、タッチ操作を受け付ける入力デバイスである。タッチパネル４Ｂは、タッチパネルモジュール４１と、タッチパネルコントローラ４２とを有している。
【０１１３】
ＬＡＮインターフェース部１１は、ＬＡＮケーブル１０を介してコンピュータ２との間でパケットデータをやり取りする（入出力する）インターフェースの部分である。具体的には、ＬＡＮインターフェース部１１は、タッチパネルコントローラ４２からの検出座標データをパケット化するとともにＩＰアドレスを付加して送信する。ＬＡＮインターフェース部３０は、ＬＳＩ（Large Scale Integration）によって構成されるが、ＬＡＮボードによって構成されてもよい。
【０１１４】
ＬＡＮインターフェース部１１は、ＥＤＩＤメモリ３４からＥＤＩＤを読み出すことができるように、ＥＤＩＤメモリ３４と接続されている。また、ＬＡＮインターフェース部１１は、シリアル番号転記部１１１を有している。
【０１１５】
シリアル番号転記部１１１は、モニタ３Ｂのシリアル番号をモニタ３Ｂとタッチパネル４Ｂとの間で共通化する場合、モニタ３Ｂのシリアル番号をＥＤＩＤメモリ３４のＥＤＩＤから予め取得しておく。シリアル番号転記部１１１は、ＬＡＮインターフェース部１１がディスクリプタをコンピュータ２Ｂに送信するときに、保持しているモニタ３Ｂのシリアル番号をディスクリプタに転記する。
【０１１６】
また、シリアル番号転記部１１１は、タッチパネル４Ｂのシリアル番号をモニタ３Ｂとタッチパネル４Ｂとの間で共通化する場合、タッチパネル４Ｂのシリアル番号をタッチパネルコントローラ４２のディスクリプタから予め取得しておく。シリアル番号転記部１１１は、ＥＤＩＤをコンピュータ２Ｂに送信するときに、保持しているタッチパネル４Ｂのシリアル番号をＥＤＩＤに転記する。
【０１１７】
コンピュータ２Ｂは、汎用のＯＳを実装しており、アプリケーションプログラムを実行する機能を備えている。コンピュータ２Ｂは、実施形態１におけるコンピュータ２と同じく、タッチ入力処理部２２と、プログラム実行部２３と、表示データ出力部２４と、デバイス管理部２６と、管理テーブル２７とを有している。また、コンピュータ２Ｂは、ＬＡＮインターフェース部３０を有している。
【０１１８】
ＬＡＮインターフェース部３０は、ＬＡＮケーブル１０を介してタッチモニタ１Ｂとの間でパケットデータをやり取りするインターフェースの部分である。
【０１１９】
上記のように構成される表示システム１００Ｂでは、以下のようにして、モニタ３Ｂがコンピュータ２ＢにＥＤＩＤを提供し、タッチパネル４Ｂがコンピュータ２Ｂにディスクリプタを提供する。
【０１２０】
モニタ３Ｂのシリアル番号をモニタ３Ｂとタッチパネル４Ｂとの間で共通化する場合、シリアル番号転記部１１１は、タッチモニタ１Ｂの初期化に、ＥＤＩＤメモリ３４からシリアル番号を読み出して、保持しておく。ＬＡＮインターフェース部１１は、デバイス管理部２６からのＥＤＩＤの要求に応じてＥＤＩＤメモリ３４からＥＤＩＤを読み出し、コンピュータ２Ｂに送信する。ここで、ＬＡＮインターフェース部１１がＥＤＩＤをコンピュータ２Ｂに送信しているが、ＥＤＩＤはモニタ３Ｂに固有の情報であることから、モニタ３ＢがＥＤＩＤの提供元となる。
【０１２１】
また、ＬＡＮインターフェース部１１は、デバイス管理部２６からのディスクリプタの要求に応じて、タッチパネルコントローラ４２から出力されるディスクリプタをコンピュータ２に送信する。
【０１２２】
シリアル番号転記部１１１は、ディスクリプタの送信時に、タッチパネルコントローラ４２からのディスクリプタのストリングディスクリプタに記述されているタッチパネル４Ｂのシリアル番号を、保持しているモニタ３Ｂのシリアル番号に置換する。あるいは、ディスクリプタがシリアル番号を含んでいない場合、シリアル番号転記部１１１は、ディスクリプタの送信時に、タッチパネルコントローラ４２から出力されたディスクリプタに、保持しているモニタ３Ｂのシリアル番号を書き込む。このようにして、モニタ３Ｂのシリアル番号がディスクリプタに転記される。
【０１２３】
これにより、コンピュータ２Ｂに送信されるＥＤＩＤおよびディスクリプタは、同じシリアル番号を含む。
【０１２４】
タッチパネル４Ｂのシリアル番号をモニタ３Ｂとタッチパネル４Ｂとの間で共通化する場合、シリアル番号転記部１１１は、タッチモニタ１Ｂの初期化に、タッチパネルコントローラ４２が保持しているディスクリプタからシリアル番号を読み出して、保持しておく。ＬＡＮインターフェース部１１は、デバイス管理部２６からのディスクリプタの要求に応じてタッチパネルコントローラ４２から出力されるディスクリプタをコンピュータ２Ｂに送信する。
【０１２５】
また、ＬＡＮインターフェース部１１は、デバイス管理部２６からのＥＤＩＤの要求に応じて、タッチパネルコントローラ４２から出力されるディスクリプタをコンピュータ２に送信する。
【０１２６】
シリアル番号転記部１１１は、ＥＤＩＤの送信時に、ＥＤＩＤメモリ３４から読み出したＥＤＩＤに記述されているモニタ３Ｂのシリアル番号を、保持しているタッチパネル４Ｂのシリアル番号に置換する。あるいは、ＥＤＩＤがシリアル番号を含んでいない場合、シリアル番号転記部１１１は、ＥＤＩＤの送信時に、ＥＤＩＤメモリ３４から読み出したＥＤＩＤに、保持しているタッチパネル４Ｂのシリアル番号を書き込む。
【０１２７】
これにより、ＥＤＩＤおよびディスクリプタは、同じシリアル番号を含んだ状態でコンピュータ２Ｂに提供される。
【０１２８】
コンピュータ２Ｂのデバイス管理部２６は、実施形態１において説明したのと同様に、モニタ３Ｂから取得したシリアル番号と、タッチパネル４Ｂから取得したシリアル番号を管理テーブル２７に登録して管理する。また、デバイス管理部２６は、管理テーブル２７を参照して一致するシリアル番号に対応したモニタ３Ｂとタッチパネル４Ｂとを対応付ける。
【０１２９】
以上のように、本実施形態に係る表示システム１００Ｂは、タッチモニタ１ＢのＬＡＮインターフェース部１１を備えている。ＬＡＮインターフェース部１１は、モニタ３ＢのＥＤＩＤ（情報群）およびタッチパネル４Ｂのディスクリプタ（情報群）のいずれか一方から予め取得したシリアル番号を他方に転記するシリアル番号転記部１１１を有している。そして、ＬＡＮインターフェース部１１は、これらのＥＤＩＤおよびディスクリプタを送信する。
【０１３０】
これにより、モニタ３ＢのＥＤＩＤに含まれるシリアル番号と、当該シリアル番号と同じである、タッチパネル４Ｂのディスクリプタに含まれるシリアル番号とがコンピュータ２Ｂに提供される。あるいは、タッチパネル４Ｂのディスクリプタに含まれるシリアル番号と、当該シリアル番号と同じである、モニタ３ＢのＥＤＩＤに含まれるシリアル番号とがコンピュータ２Ｂに提供される。それゆえ、モニタ３Ｂおよびタッチパネル４Ｂのいずれか一方が交換されても、モニタ３ＢのＥＤＩＤおよびタッチパネル４Ｂのディスクリプタは、いずれか一方のシリアル番号を含んだ状態でコンピュータ２Ｂに提供される。
【０１３１】
このように、同じシリアル番号が、交換されたデバイスと交換されなかったデバイスとの間で共有され、かつコンピュータ２Ｂに提供される。これにより、実施形態１の表示システム１００と同じく、デバイス（モニタ３Ｂおよびタッチパネル４Ｂ）の交換に応じて、交換される新たなデバイスの固有情報を書き替えたり、コンピュータに設定された固有情報を書き替えたりする必要がなくなる。また、交換されるデバイスに交換されない他方のデバイスの固有情報を書き込む必要もなくなる。したがって、モニタ３Ｂおよびタッチパネル４Ｂのいずれか一方が交換されても、コンピュータ２Ｂにおいてモニタ３Ｂおよびタッチパネル４Ｂの対応付けを容易に行うことができる。
【０１３２】
しかも、タッチモニタ１Ｂは、ＬＡＮインターフェース部１１，３０を介してコンピュータ２と接続されている。これにより、タッチモニタ１Ｂとコンピュータ２Ｂとを接続するＬＡＮケーブル１０を長くすることができる。したがって、タッチモニタ１Ｂをコンピュータ２Ｂから離れた場所に設置することが可能になる。
【０１３３】
なお、本実施形態における固有情報は、シリアル番号であるが、シリアル番号には限定されない。例えば、固有情報としてＭＡＣ（Media Access Control）アドレスを使用することもできる。
【０１３４】
また、本実施形態において、ＥＤＩＤメモリ３４は、モニタ３Ｂに含まれているが、必ずしもモニタ３Ｂに含まれていなくてもよく、モニタ３Ｂおよびタッチパネル４Ｂに対して独立して設けられていてもよい。このような構成であっても、上述したように、モニタ３Ｂおよびタッチパネル４Ｂが同一のシリアル番号をコンピュータ２Ｂに提供することができる。
【０１３５】
〔ソフトウェアによる実現例〕
タッチモニタ１，１Ａ，１Ｂの制御ブロック（特にシリアル番号読出部４２ａ、シリアル番号置換部４２ｂおよびディスクリプタ出力部４２ｃ）は、集積回路（ＩＣチップ）等に形成された論理回路（ハードウェア）によって実現してもよいし、ソフトウェアによって実現してもよい。
【０１３６】
後者の場合、タッチモニタ１，１Ａ，１Ｂは、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。
【０１３７】
上記プロセッサとしては、例えば上述のＣＰＵ４２４を用いることができる。上記記録媒体としては、「一時的でない有形の媒体」、例えば、上述のプログラムメモリ４２５の他、ＲＯＭ（Read Only Memory）等の半導体メモリ、プログラマブルな論理回路などを用いることができる。また、タッチモニタ１，１Ａ，１Ｂは、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１３８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１３９】
１，１Ａ，１Ｂ  タッチモニタ
２，２Ａ，２Ｂ  コンピュータ
３，３Ａ，３Ｂ  モニタ
４，４Ａ，４Ｂ  タッチパネル
１１  ＬＡＮインターフェース（入出力部）
２６ａ  管理登録部
２６ｂ  対応付け部
３４  ＥＤＩＤメモリ（メモリ，第１メモリ）
４１  タッチパネルモジュール
４２  タッチパネルコントローラ
１００，１００Ａ，１００Ｂ  タッチモニタ
４２６  データメモリ（メモリ，第２メモリ）
【図１】
2019174990.tif 000003
【図２】
2019174990.tif 000004
【図３】
2019174990.tif 000005
【図４】
2019174990.tif 000006
【図５】
2019174990.tif 000007
【図６】
2019174990.tif 000008